Podtech/llm-jp-corpus-v4-ja_patent huggingface dataset:
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
共結晶を製造する方法であって、
a)共結晶を形成可能な、少なくとも第一物質及び第二物質の融解混合物を噴霧器に供給する工程；
b)該融解混合物を霧状化して小滴にする工程；
c)該小滴を粒子へと固体化する工程；
d)該粒子を収集する工程
を含み、
該第一物質が、活性主成分（API）又はAPIの塩などの医薬として許容し得る誘導体であり、
該第一物質及び第二物質が、少なくとも1分間、均質な融解混合物が形成されるまで熱に曝される、前記方法。
【請求項２】
バッチプロセス又は連続プロセスである、請求項1記載の方法。
【請求項３】
前記第一物質及び第二物質が、1:1、1:2、2:1、又は他の整数比などの化学量論比で組み合される、請求項1又は2記載の方法。
【請求項４】
前記API又はその医薬として許容し得る誘導体が、チオエーテル、アルコール、チオール、アルデヒド、ケトン、チオケトン、硝酸エステル、リン酸エステル、チオリン酸エステル、エステル、チオエステル、硫酸エステル、カルボン酸、ホスホン酸、ホスフィン酸、スルホン酸、アミド、第一級アミン、第二級アミン、アンモニア、第三級アミン、イミン、チオシアネート、シアナミド、オキシム、ニトリル、ジアゾ、有機ハロゲン化物、ニトロ、S-複素環式環、チオフェン、N-複素環式環、ピロール、O-複素環式環、フラン、エポキシド、過酸化物、ヒドロキサム酸、イミダゾール、及びピリジンから選択される、少なくとも1つの官能基を有する、請求項1記載の方法。
【請求項５】
前記第二物質が、共結晶を形成することのできる共形成体である、請求項1〜4のいずれか1項記載の方法。
【請求項６】
前記共形成体が、活性又は非活性成分である、請求項5記載の方法。
【請求項７】
前記共形成体が、医薬賦形剤、ビタミン、ミネラル、アミノ酸、又は他のAPIである、請求項6記載の方法。
【請求項８】
前記共形成体が、チオエーテル、アルコール、チオール、アルデヒド、ケトン、チオケトン、硝酸エステル、リン酸エステル、チオリン酸エステル、エステル、チオエステル、硫酸エステル、カルボン酸、ホスホン酸、ホスフィン酸、スルホン酸、アミド、第一級アミン、第二級アミン、アンモニア、第三級アミン、イミン、チオシアネート、シアナミド、オキシム、ニトリル、ジアゾ、有機ハロゲン化物、ニトロ、S-複素環式環、チオフェン、N-複素環式環、ピロール、O-複素環式環、フラン、エポキシド、過酸化物、ヒドロキサム酸、イミダゾール、及びピリジンから選択される少なくとも1つの官能基を有する、請求項5、6、又は7記載の方法。
【請求項９】
前記第一物質及び第二物質が、少なくとも2分以上の間、均質な融解混合物が形成されるまで熱に曝される、請求項1〜8のいずれか1項記載の方法。
【請求項１０】
せん断力及び/又は圧力を利用して、前記混合物中の要素の混合及び絡み合いを促進し、並びにそれらの粘性を減少させる、請求項1〜9のいずれか1項記載の方法。
【請求項１１】
磁気撹拌子、パドル、又は押し出し成形法により、せん断力及び圧力を上昇させる、請求項10記載の方法。
【請求項１２】
前記押し出し成型法が、霧状化システムに接続されたスクリューベースの押し出し成形装置である、請求項11記載の方法。
【請求項１３】
前記霧状化システムに接続された前記スクリューベースの押し出し成形装置が、単軸スクリュー又は二軸スクリュー押し出し成形装置である、請求項12記載の方法。
【請求項１４】
前記二軸スクリュー押し出し成形装置が共回転システム又は逆回転システムである、請求項13記載の方法。
【請求項１５】
前記混合物の融点が-120〜+300℃、典型的に0〜200℃、任意に20〜180℃である、請求項1〜14のいずれか1項記載の方法。
【請求項１６】
前記混合物が1以上の機能性マトリックス材料をさらに含むことで、前記第一物質及び第二物質の混合が促進され、かつ/又は該混合物の融点が低下し、かつ/又は最終生成物に機能性が付加される、請求項1〜15のいずれか1項記載の方法。
【請求項１７】
前記1以上の機能性マトリックス材料が、ポリエチレングリコール若しくは二酸化炭素などの可塑性付与効果を有する薬剤、又は1以上の界面活性剤、又は1以上のポリマを含む、請求項16記載の方法。
【請求項１８】
工程b)において、霧状化ノズルが回転、加圧、流体、又は超音波の構成を有する、請求項1〜17のいずれか1項記載の方法。
【請求項１９】
工程c)において、前記融解物の噴霧方向に並流の又は反流の冷却ガス又は冷却液の流れによって冷却が促進される、請求項1〜18のいずれか1項記載の方法。
【請求項２０】
前記小滴の滞留時間が、冷却ガス又は冷却液の反流の流れによって制御される、請求項1〜19のいずれか1項記載の方法。
【請求項２１】
前記ガス又は液の流れの初期温度が-20〜200℃である、請求項19又は20記載の方法。
【請求項２２】
前記冷却ガスが、空気、窒素、又は二酸化炭素である、請求項19、20、又は21記載の方法。
【請求項２３】
前記冷却液が、液体二酸化炭素又は液体窒素である、請求項19、20、又は21記載の方法。
【請求項２４】
前記反流の流れの冷却ガスが、空気、窒素、又は二酸化炭素である、請求項19又は20記載の方法。
【請求項２５】
前記反流の流れの冷却液が、液体二酸化炭素又は液体窒素である、請求項19又は20記載の方法。
【請求項２６】
前記得られた粒子が、少なくとも50％（w/w）の共結晶純度、より好ましくは少なくとも75％（w/w）の共結晶純度、特に90％（w/w）以上の共結晶純度を含む、請求項1〜25のいずれか1項記載の方法。
【請求項２７】
前記得られた粒子が、1〜500 μmの粒度を有する、請求項1〜26のいずれか1項記載の方法。
【請求項２８】
請求項1〜27のいずれか1項記載に従って製造された共結晶の、医薬組成物の製剤化における使用。
【請求項２９】
請求項1〜27のいずれか1項記載の方法によって粒子形態で得られた、又は得ることができる、共結晶化合物。
【請求項３０】
請求項1〜27のいずれか1項記載の方法に従って得られた、又は得ることができる共結晶粒子を含む、医薬組成物。
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
ナビゲーション可能なネットワークを介して最少コストのパスを生成する方法であって、前記ナビゲーション可能なネットワークは、前記ナビゲーション可能なネットワークのナビゲーション可能な断片を示す複数の断片を有する電子地図によって表され、前記方法は、
複数の記録された経路の１つの選択を受け取ることであって、前記記録された経路のそれぞれは、予め定められた順序で移動すべき複数の地点位置として定められる、前記受け取ることと、
前記選択された経路の前記複数の地点位置の間の、前記電子地図の断片に沿った最少コストのパスを決定することであって、前記最少コストのパスは、前記選択された経路に関連付けられた前記予め定められた順序に基づいた順序で前記複数の地点位置を通過する、前記決定することと、を含む方法。
【請求項２】
前記複数の地点位置は開始位置及び目的地の位置と、１つ以上の中間の位置とを含む、ことを特徴とする請求項１に記載の方法。
【請求項３】
１つ以上の及びオプションとして全ての前記記録された経路は、ユーザによって定められる、ことを特徴とする請求項１又は２に記載の方法。
【請求項４】
ユーザが、記録された経路を定める前記地点位置の前記順序を変更すること、及び記録された経路を定める前記地点位置を変更することの少なくともいずれかを行う、ことを特徴とする請求項１から３のいずれか１項に記載の方法。
【請求項５】
前記経路のそれぞれは、ユーザが意図した経路を選択できるようにする識別子と関連づけられて記録され、前記ユーザは、前記複数の記録された経路から前記意図した経路を選択するために前記識別子を用いる、ことを特徴とする請求項１から４のいずれか１項に記載の方法。
【請求項６】
前記装置の現在位置を決定するを含み、前記最少コストのパスを決定することは、前記装置の前記現在位置から前記選択された経路の第１の地点位置とその後前記選択された経路の最終地点位置へ向かう最少コストのパスを決定することを含む、ことを特徴とする請求項１から５のいずれか１項に記載の方法。
【請求項７】
記録された経路が選択された後に、ユーザが決定されるべき戻りの経路を指示し、前記方法は、前記選択された経路に関連付けられた前記予め定められた順序の逆に前記複数の地点位置を通過するように前記最少コストのパスを決定することを含む、ことを特徴とする請求項１から６のいずれか１項に記載の方法。
【請求項８】
前記最少コストのパスは、前記ネットワークにおける交通事象を考慮して決定される、ことを特徴とする請求項１から７のいずれか１項に記載の方法。
【請求項９】
前記決定された最少コストのパスに沿ってユーザを案内するために、ナビゲーションの指示を前記ユーザに提供することを更に含む、ことを特徴とする請求項１から８のいずれか１項に記載の方法。
【請求項１０】
前記記録された経路は更に線分群を示すデータによって定められ、前記線分群は前記地点位置の間の経路を示し、前記方法は更に、前記複数の地点位置の間の、前記電子地図の断片に沿った前記最少コストのパスを決定することにおいて、前記線分群データを用いること、を含むことを特徴とする請求項１から９のいずれか１項に記載の方法。
【請求項１１】
前記最少コストのパスを決定することは、前記電子地図に示される前記線分群へのより高い近似となる前記決定されたパスに含まれるように、前記電子地図の断片を優位に扱うことを含む、ことを特徴とする請求項１０に記載の方法。
【請求項１２】
ナビゲーション可能なネットワークを介して最少コストのパスを生成する装置であって、前記ナビゲーション可能なネットワークは、前記ナビゲーション可能なネットワークのナビゲーション可能な断片を示す複数の断片を有する電子地図によって表され、前記装置は、
複数の経路を記録する手段であって、前記記録された経路のそれぞれは、予め定められた順序で移動すべき複数の地点位置として定められる、前記記録する手段と、
前記複数の記録された経路の１つの選択を受け取る手段と、
前記選択された経路の前記複数の地点位置の間の、前記電子地図の断片に沿った最少コストのパスを決定する手段であって、前記最少コストのパスは、前記選択された経路に関連付けられた前記予め定められた順序に基づいた順序で前記複数の地点位置を通過する、前記決定する手段とを含む、ことを特徴とする装置。
【請求項１３】
命令を含むコンピュータプログラムであって、コンピューティング装置の少なくとも１つのプロセッサによって実行される場合に、前記コンピューティング装置を、請求項１から１１のいずれか１項に記載の方法に従って動作させる、ことを特徴とするコンピュータプログラム。
【請求項１４】
コンピュータ可読媒体であって、前記コンピュータ可読媒体に記録された請求項１３に記載のコンピュータプログラムを有する、コンピュータ可読媒体。
【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
モバイルデバイスにおいて位置を推定するための方法であって、
支援データ要求をロケーションサーバへ送ることと、
前記モバイルデバイスと前記ロケーションサーバとの間の送信レートがしきい値よりも低いと決定することと、
前記送信レートが前記しきい値よりも低いことに基づいて、概略位置推定値要求をサーバへ送ることと、ここにおいて、前記概略位置推定値要求は、モバイルデバイスセンサー測定値を備える、
前記概略位置推定値要求を送ることに応答して、概略位置推定値を受信することと、
前記概略位置推定値を用いて、前記モバイルデバイス中の推定器をブートストラップして、ブートストラップされた推定器をもたらすことと、
前記支援データ要求に応答して支援データを受信することと、
前記支援データを用いて前記ブートストラップされた推定器をロードすることと、
前記ブートストラップされた推定器からの前記モバイルデバイスの位置推定値を決定することと、
を備える、方法。
【請求項２】
局所的に計算される位置推定値の不確実性が第２のしきい値よりも大きいと決定することをさらに備え、
ここにおいて、前記概略位置推定値要求を送ることはさらに、前記局所的に計算される位置推定値の前記不確実性が前記第２のしきい値よりも大きいことに基づき、
ここにおいて、前記局所的に計算される位置推定値は、前記モバイルデバイスにおいて計算される、
請求項１に記載の方法。
【請求項３】
前記概略位置推定値要求を送ることは、前記概略位置推定値要求を前記ロケーションサーバへ送ることを備える、請求項１に記載の方法。
【請求項４】
前記概略位置推定値要求を送ることは、前記ロケーションサーバとは分離されたサーバへ前記概略位置推定値要求を送ることを備える、請求項１に記載の方法。
【請求項５】
前記モバイルデバイスセンサー測定値は、ＷｉＦｉアクセスポイントの測定値を備える、請求項１に記載の方法。
【請求項６】
前記ＷｉＦｉアクセスポイントの測定値は、
受信信号強度インジケーション（ＲＳＳＩ）測定値、または、
ラウンドトリップタイム（ＲＴＴ）測定値、のうちの少なくとも１つを備える、請求項５に記載の方法。
【請求項７】
前記モバイルデバイスセンサー測定値は、慣性センサー測定値を備える、請求項１に記載の方法。
【請求項８】
クロップされたマップを受信することと、ここにおいて、前記クロップされたマップは、前記概略位置推定値に基づく、
前記クロップされたマップを表示することと、
をさらに備える、請求項１に記載の方法。
【請求項９】
データ構造を受信することをさらに備え、ここにおいて、前記データ構造は、前記推定器の状態を備え、
ここにおいて、前記支援データを用いて前記推定器をロードすることはさらに、前記データ構造を用いて前記推定器をロードすることを備える、請求項１に記載の方法。
【請求項１０】
前記推定器は粒子フィルタを備える、請求項１に記載の方法。
【請求項１１】
第２の概略位置推定値要求を送ることと、
前記第２の概略位置推定値要求を送ることに応答して、第２の概略位置推定値を受信することと、
をさらに備え、
ここにおいて、前記概略位置推定値の不確実性は、前記第２の概略位置推定値の不確実性よりも大きい、請求項１に記載の方法。
【請求項１２】
前記概略位置推定値と前記決定された位置推定値との間で、２つの不確実性のうちの低い方に基づいて、選択することをさらに備える、請求項１に記載の方法。
【請求項１３】
前記支援データを受信することは、漸進的（progressively）により多くの解像度を有する支援データを受信することを備える、請求項１に記載の方法。
【請求項１４】
位置を推定するためのモバイルデバイスであって、
支援データ要求をロケーションサーバへ送るための手段と、
前記モバイルデバイスと前記ロケーションサーバとの間の送信レートがしきい値よりも低いと決定するための手段と、
前記送信レートが前記しきい値よりも低いことに基づいて、概略位置推定値要求をサーバへ送るための手段と、ここにおいて、前記概略位置推定値要求は、モバイルデバイスセンサー測定値を備える、
前記概略位置推定値要求を送ることに応答して、概略位置推定値を受信するための手段と、
前記概略位置推定値を用いて、前記モバイルデバイス中の推定器をブートストラップして、ブートストラップされた推定器をもたらすための手段と、
前記支援データ要求に応答して支援データを受信するための手段と、
前記支援データを用いて前記ブートストラップされた推定器をロードするための手段と、
前記ブートストラップされた推定器からの前記モバイルデバイスの位置推定値を決定するための手段と、
を備える、モバイルデバイス。
【請求項１５】
請求項１から請求項１３のうちの何れか一項に記載の方法を実行するためのプログラムコードを備える、プログラムコードを記憶した非一時的なコンピュータ読み取り可能な記憶媒体。
【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
役割ベースのユーザインターフェースを生成するシステムであって、
１人以上の介護提供者によって処置される複数の患者に関する患者データを記憶する患者情報データベースと、
前記１人以上の介護提供者の役割及びステータスに関する介護提供者データを記憶する介護提供者情報システムと、
前記患者データ、前記介護提供者データ、及び、状況に関連する知識を評価し、前記１人以上の介護提供者に対し、最も臨床的に意味があり、関連性のある情報を表示する役割ベースのユーザインターフェースを生成する判断支援システムと、
を含む、システム。
【請求項２】
前記判断支援システムは、
前記１人以上の介護提供者によって処置される複数の患者に関する前記患者データを受信し、
前記１人以上の介護提供者の役割、ステータス及び場所に関する前記介護提供者データを受信し、
前記患者データ及び前記介護提供者データを評価し、
前記患者データ及び前記介護提供者データの前記評価に基づいて、前記１人以上の介護提供者に対し、最も臨床的に意味のある情報を表示する役割ベースのユーザインターフェースを生成するようにプログラムされた１つ以上のプロセッサを含む、請求項１に記載のシステム。
【請求項３】
前記１つ以上のプロセッサは更に、
前記役割ベースのユーザインターフェースに表示される要素に優先順位を付けるために、前記患者データを前記介護提供者データと共にマッピングするようにプログラムされる、請求項２に記載のシステム。
【請求項４】
前記１つ以上のプロセッサは更に、
前記介護提供者データに基づいて、前記役割ベースのユーザインターフェースに表示される前記患者データを制限するようにプログラムされる、請求項２に記載のシステム。
【請求項５】
前記１つ以上のプロセッサは更に、
前記患者データを評価し、１つ以上の診断及び／又は処置オプションを示す臨床データを生成するようにプログラムされる、請求項２乃至４の何れか一項に記載のシステム。
【請求項６】
前記１つ以上のプロセッサは更に、
１人以上のユーザ又は１つ以上の医用デバイスに向けられる臨床イベントを生成するために、前記患者データ及び前記臨床データをマッピングするようにプログラムされる、請求項５に記載のシステム。
【請求項７】
前記１つ以上のプロセッサは更に、
前記介護提供者データに基づいて、前記臨床イベントを、前記１人以上の介護提供者に対して向けかつ表示するようにプログラムされる、請求項６に記載のシステム。
【請求項８】
前記１つ以上のプロセッサは更に、
前記介護提供者データに基づいて、前記臨床イベントを管理し、介護提供者が邪魔されるべきではない場合、前記臨床イベントを保留するか、前記臨床イベントを再分配するようにプログラムされる、請求項７に記載のシステム。
【請求項９】
役割ベースのユーザインターフェースを生成するための方法であって、
１人以上の介護提供者によって処置される複数の患者に関する患者データを受信するステップと、
前記１人以上の介護提供者の役割、ステータス及び場所に関する介護提供者データを受信するステップと、
前記患者データ及び前記介護提供者データを評価するステップと、
前記患者データ及び前記介護提供者データの前記評価に基づいて、前記１人以上の介護提供者に対し、最も臨床的に意味のある情報を表示する役割ベースのユーザインターフェースを生成するステップと、
を含む、方法。
【請求項１０】
前記役割ベースのユーザインターフェースに表示される要素に優先順位を付けるために、前記患者データを前記介護提供者データと共にマッピングするステップを更に含む、請求項９に記載の方法。
【請求項１１】
前記介護提供者データに基づいて、前記役割ベースのユーザインターフェースに表示される前記患者データを制限するステップを更に含む、請求項９に記載の方法。
【請求項１２】
前記患者データを評価し、１つ以上の診断及び／又は処置オプションを示す臨床データを生成するステップを更に含む、請求項９乃至１１の何れか一項に記載の方法。
【請求項１３】
１人以上のユーザ又は１つ以上の医用デバイスに向けられる臨床イベントを生成するために、前記患者データ及び前記臨床データをマッピングするステップを更に含む、請求項１２に記載の方法。
【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
サーバで実行している人工神経システムの実行を、クライアントデバイスによって、リモートで制御するための方法であって、
前記人工神経システムとのリモート接続を確立することと、
前記人工神経システムの実行を制御するために、前記リモート接続を介してコマンドを発することと、ここにおいて、前記人工神経システムは、
ｉ)減少された速度で実行する、または、
ｉｉ)前記コマンドのうちの１つが期間内に受信されない場合、あらかじめ定められた方法で実行される、
ように構成される、
を備える、方法。
【請求項２】
前記リモート接続を確立することが、伝送制御プロトコル（ＴＣＰ）メッセージングを介して前記リモート接続を確立することを備える、請求項１に記載の方法。
【請求項３】
前記リモート接続を確立することが、ウェブソケットを介して前記リモート接続を確立することを備える、請求項２に記載の方法。
【請求項４】
前記コマンドが、前記人工神経システムにおいて使用されるニューロンモデルを示すファイルをロードするための少なくとも１つのコマンドを備える、請求項１に記載の方法。
【請求項５】
前記コマンドが、前記人工神経システムの少なくとも一部をステップ実行する、実行を一時停止する、または実行を停止するための少なくとも１つのコマンドを備える、請求項１に記載の方法。
【請求項６】
前記コマンドが、前記人工神経システムの１つまたは複数の構成要素の変数を取得することまたは設定することのうちの少なくとも１つのためのコマンドを備える、請求項１に記載の方法。
【請求項７】
前記コマンドが、前記人工神経システムの１つまたは複数の構成要素の接続性に関する変数を取得することまたは設定することのうちの少なくとも１つのためのコマンドを備える、請求項１に記載の方法。
【請求項８】
前記コマンドが、前記人工神経システムのスパイキング活動に関する情報を取得するためのコマンドを備える、請求項１に記載の方法。
【請求項９】
前記コマンドが、前記人工神経システムのスパイキング活動を記録するための情報を取得するためのコマンドを備える、請求項１に記載の方法。
【請求項１０】
前記コマンドに従って前記人工神経システムの実行を制御すること、
をさらに備える、任意の先行する請求項に記載の方法。
【請求項１１】
人工神経システムの実行を、クライアントデバイスにおいて、リモートで制御するための装置であって、
前記人工神経システムとのリモート接続を確立するための手段と、
前記人工神経システムの実行を制御するために、前記リモート接続を介してコマンドを発するための手段と、ここにおいて、前記人工神経システムは、
ｉ)減少された速度で実行する、または、
ｉｉ)前記コマンドのうちの１つが期間内に受信されない場合、あらかじめ定められた方法で実行される、
ように構成される、
を備える、装置。
【請求項１２】
前記コマンドに従って前記人工神経システムの実行を制御するための手段、
をさらに備える、請求項１１に記載の装置。
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
ハードウェアに実装された人工神経系シミュレータにおいてメモリを割り振るための方法であって、
シミュレートされている人工神経系の１つまたは複数の構成要素のためのメモリリソース要件を決定することと、
メモリリソース要件が変更すると前記決定に基づいて、共有メモリプールの一部を前記構成要素に動的に割り振ることと、ここにおいて、前記構成要素は人工神経を備え、メモリリソース要件を変更することは前記人工神経の状態またはタイプの少なくとも１つに基づいてリソースを決定することを備える、
を備える、方法。
【請求項２】
前記共有メモリプールの少なくとも一部が、前記人工神経系シミュレータのプロセッサとは別のチップ上に配置されたメモリを備える、請求項１に記載の方法。
【請求項３】
前記共有メモリプールが、メモリバンクと、書込みクライアントと、読出しクライアントと、前記メモリバンクと前記書込みクライアントおよび前記読出しクライアントとをインターフェースするルータとを備える分散型アーキテクチャとして実装される、請求項１に記載の方法。
【請求項４】
前記割り振ることが、前記決定に基づいて、前記構成要素に割り振られた前記共有メモリプールの量を変化させることを備える、請求項１に記載の方法。
【請求項５】
ハードウェアに実装された人工神経系シミュレータにおいてメモリを割り振るための装置であって、
シミュレートされている人工神経系の１つまたは複数の構成要素のためのメモリリソース要件を決定し、
メモリリソース要件が変更すると前記決定に基づいて、共有メモリプールの一部を前記構成要素に動的に割り振る、前記構成要素は人工神経を備え、
前記処理システムは前記人工神経の状態またはタイプの少なくとも１つに基づいてリソースを決定するように構成される、
ように構成された処理システムを備える、装置。
【請求項６】
前記共有メモリプールの少なくとも一部が、前記人工神経系シミュレータのプロセッサとは別のチップ上に配置されたメモリを備える、請求項５に記載の装置。
【請求項７】
前記共有メモリプールが、メモリバンクと、書込みクライアントと、読出しクライアントと、前記メモリバンクと前記書込みクライアントおよび前記読出しクライアントとをインターフェースするルータとを備える分散型アーキテクチャとして実装される、請求項５に記載の装置。
【請求項８】
前記処理システムがまた、前記決定に基づいて、前記構成要素に割り振られた前記共有メモリプールの量を変化させるように構成される、請求項７に記載の装置。
【請求項９】
ハードウェアに実装された人工神経系シミュレータにおいてメモリを割り振るための装置であって、
シミュレートされている人工神経系の１つまたは複数の構成要素のためのメモリリソース要件を決定するための手段と、
メモリリソース要件が変更すると前記決定に基づいて、共有メモリプールの一部を前記構成要素に動的に割り振るための手段と、ここにおいて、前記構成要素は人工神経を備え、
前記メモリリソース要件を決定する手段は前記人工神経の状態またはタイプの少なくとも１つに基づいてリソースを決定する手段を備える、
を備える、装置。
【請求項１０】
前記共有メモリプールの少なくとも一部が、前記人工神経系シミュレータのプロセッサとは別のチップ上に配置されたメモリを備える、請求項９に記載の装置。
【請求項１１】
前記共有メモリプールが、メモリバンクと、書込みクライアントと、読出しクライアントと、前記メモリバンクと前記書込みクライアントおよび前記読出しクライアントとをインターフェースするルータとを備える分散型アーキテクチャとして実装される、請求項９に記載の装置。
【請求項１２】
前記割り振ることが、前記決定に基づいて、前記構成要素に割り振られた前記共有メモリプールの量を変化させることを備える、請求項９に記載の装置。
【請求項１３】
コンピュータにより実行されるとハードウェアに実装された人工神経系シミュレータにおいてメモリを割り振る命令を有するコンピュータ可読媒体であって、
シミュレートされている人工神経系の１つまたは複数の構成要素のためのメモリリソース要件を決定するための命令と、
メモリリソース要件が変更すると前記決定に基づいて、共有メモリプールの一部を前記構成要素に動的に割り振るための命令と、ここにおいて、前記構成要素は人工神経を備え、
メモリリソース要件を決定することは前記人工神経の状態またはタイプの少なくとも１つに基づいてリソースを決定することを備える、
を備える、コンピュータ可読媒体。
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
モバイルデバイスにおいてボイスアシスタント機能をアクティブにするための方法であって、前記方法は、
音センサーによって入力音ストリームを受信することと、
前記ボイスアシスタント機能を使用する可能性を示す前記モバイルデバイスのコンテキストを決定することと、
前記ボイスアシスタント機能を使用する前記可能性を示す前記コンテキストに基づいて、前記ボイスアシスタント機能をアクティブにするためのしきい値を調整することと、
前記入力音ストリームから抽出された音特徴に基づいておよび前記調整されたしきい値に基づいて前記入力音ストリームからターゲットキーワードを検出することと、
前記ターゲットキーワードが検出された場合、前記ボイスアシスタント機能をアクティブにすることと、
を備える方法。
【請求項２】
前記モバイルデバイスの前記コンテキストを決定することは、前記入力音ストリームに基づいて前記モバイルデバイスの前記コンテキストを識別することを備え、前記ターゲットキーワードを検出することは、前記音特徴に対応する処理された音特徴と前記調整されたしきい値との比較を実行することにさらに基づく、請求項１に記載の方法。
【請求項３】
前記モバイルデバイスの前記コンテキストを決定することは、
前記モバイルデバイス中の加速度センサー、ロケーションセンサー、照明センサー、近接度センサー、クロックユニット、およびカレンダーユニットのうちの少なくとも１つから、前記モバイルデバイスの前記コンテキストを示すデータを取得することと、
前記データに基づいて前記モバイルデバイスの前記コンテキストを識別することと、
を備える、請求項１に記載の方法。
【請求項４】
前記モバイルデバイスの前記コンテキストを決定することは、
前記モバイルデバイスのステータス情報を取得することと、
前記ステータス情報に基づいて前記モバイルデバイスの前記コンテキストを識別することと、
を備える、請求項１に記載の方法。
【請求項５】
前記ステータス情報は、アイドル状態からアクティブ状態への前記モバイルデバイス中のプロセッサの動作ステータスの変化を示す、請求項４に記載の方法。
【請求項６】
前記しきい値を調整した後に予め定められた時間期間が経過したとき、前記しきい値を予め定められたしきい値にセットすることをさらに備える、請求項１に記載の方法。
【請求項７】
前記入力音ストリームから前記ターゲットキーワードを検出することは、
前記入力音ストリームと前記ターゲットキーワードの音モデルとの間の類似度を計算することと、
前記類似度を前記しきい値と比較することと、
前記類似度が前記しきい値を超える場合、前記入力音ストリームから前記ターゲットキーワードを検出することと、
を備える、請求項１に記載の方法。
【請求項８】
ボイスアシスタント機能をアクティブにするためのモバイルデバイスであって、
入力音ストリームを受信するように構成された音センサーと、
前記モバイルデバイスにおける前記ボイスアシスタント機能を使用する可能性を示すコンテキストを決定し、前記ボイスアシスタント機能を使用する前記可能性を示す前記コンテキストに基づいて、前記ボイスアシスタント機能をアクティブにするしきい値を調整することによって、前記ボイスアシスタント機能をアクティブにするための前記しきい値を調整するように構成されたしきい値調整ユニットと、
前記入力音ストリームから抽出された音特徴に基づいておよび前記調整されたしきい値に基づいて前記入力音ストリームからターゲットキーワードが検出された場合、前記ボイスアシスタント機能をアクティブにするように構成されたボイスアクティベーションユニットと、
を備える、モバイルデバイス。
【請求項９】
前記しきい値調整ユニットは、前記入力音ストリームに基づいて前記モバイルデバイスの前記コンテキストを識別するように構成されたコンテキスト推論ユニットを備え、前記ボイスアクティベーションユニットは、前記音特徴に対応する処理された音特徴と前記調整されたしきい値との比較に基づいて前記ターゲットキーワードが検出された場合、前記ボイスアシスタント機能をアクティブにするようにさらに構成される、請求項８に記載のモバイルデバイス。
【請求項１０】
前記しきい値調整ユニットは、前記モバイルデバイス中の加速度センサー、ロケーションセンサー、照明センサー、近接度センサー、クロックユニット、およびカレンダーユニットのうちの少なくとも１つから、前記モバイルデバイスの前記コンテキストを示すデータを取得し、前記データに基づいて前記モバイルデバイスの前記コンテキストを識別するように構成されたコンテキスト決定ユニットを備える、請求項８に記載のモバイルデバイス。
【請求項１１】
前記しきい値調整ユニットは、前記モバイルデバイスのステータス情報を取得し、前記ステータス情報に基づいて前記モバイルデバイスの前記コンテキストを識別するように構成されたコンテキスト決定ユニットを備える、請求項８に記載のモバイルデバイス。
【請求項１２】
前記ステータス情報は、アイドル状態からアクティブ状態への前記モバイルデバイス中のプロセッサの動作ステータスの変化を示す、請求項１１に記載のモバイルデバイス。
【請求項１３】
前記しきい値調整ユニットは、前記しきい値を調整した後に予め定められた時間期間が経過したとき、前記しきい値を予め定められたしきい値にセットするようにさらに構成された、請求項８に記載のモバイルデバイス。
【請求項１４】
前記ボイスアクティベーションユニットは、前記入力音ストリームと前記ターゲットキーワードの音モデルとの間の類似度を計算し、前記類似度を前記しきい値と比較し、前記類似度が前記しきい値を超える場合、前記入力音ストリームから前記ターゲットキーワードを検出するようにさらに構成された、請求項８に記載のモバイルデバイス。
【請求項１５】
モバイルデバイスにおいてボイスアシスタント機能をアクティブにするための命令を備えるコンピュータ可読記憶媒体であって、前記命令は、前記モバイルデバイスのプロセッサに、請求項１乃至７の方法に記載の動作を実行させる、コンピュータ可読記憶媒体。
【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
光信号を導波管（１０）の軸の又はコア（１２）の方向に送信する少なくとも１つの電気‐光コンバータ（２８）を備える、少なくとも１つの前記導波管（１０）へ前記光信号をカップリングするための装置（１００ａ、１００ｂ、１００ｃ、１００ｄ、１００ｅ、１００ｆ）であって、
前記電気‐光コンバータ（２８）は、少なくとも１つの送信側光サブアセンブリ（４０）内に、具体的には埋設によって、配置され、
前記送信側光サブアセンブリ（４０）は、前記導波管（１０）を、前記電気‐光コンバータ（２８）に対して、具体的には前記電気‐光コンバータ（２８）の出力ポートに対して又はアクティブ表面（３０）に対してアラインメントするための少なくとも１つの案内通路（４６）を備えることを特徴とする装置。
【請求項２】
光信号を少なくとも１つの導波管（１０）の軸の又はコア（１２）の方向から受信する少なくとも１つの光‐電気コンバータ（６８）を備える、前記導波管（１０）から前記光信号をデカップリングするための装置（１４０ａ、１４０ｂ、１４０ｃ、１４０ｄ、１４０ｅ、１４０ｆ）であって、
前記受信側光サブアセンブリ（８０）は、前記導波管（１０）を、前記光‐電気コンバータ（６８）に対して、具体的には前記光‐電気コンバータ（６８）の入力ポートに対して又はアクティブ表面（７０）に対してアラインメントするための少なくとも１つの案内通路（８６）を備え、
前記光−電気コンバータ（６８）は、少なくとも１つの受信側光サブアセンブリ（８０）内に、具体的には埋設によって、配置されることを特徴とする装置。
【請求項３】
前記光サブアセンブリ（４０、８０）は、少なくとも１つの光学透明又は光学半透明媒体から、具体的には少なくとも１つのポリマーから製造されることを特徴とする請求項１又は２に記載の装置。
【請求項４】
前記案内通路（４６、８６）は、円筒形又は円錐形であることを特徴とする請求項１〜３のいずれか一項に記載の装置。
【請求項５】
前記案内通路（４６、８６）は、段階的変化又は複数の水平面を備えるように設計されることを特徴とする請求項１〜４のいずれか一項に記載の装置。
【請求項６】
前記案内通路（４６、８６）は、前記コンバータ（２８、６８）に向かって先細りになることを特徴とする請求項１〜５のいずれか一項に記載の装置。
【請求項７】
前記案内通路（４６、８６）は、前記コンバータ（２８、６８）の前記出力／入力ポート又はアクティブ表面（３０、７０）が前記導波管（１０）の前記コア（１２）から距離（３２、７２）を置いて位置決めされるように構成されることを特徴とする請求項１〜６のいずれか一項に記載の装置。
【請求項８】
前記案内通路（４６、８６）は、その円周線に対して閉じて又は部分的に開いて構成されることを特徴とする請求項１〜７のいずれか一項に記載の装置。
【請求項９】
前記導波管（１０）が前記案内通路（４６、８６）に挿入される時に、閉じ込められ且つ／又は圧縮された空気を排出することが出来る少なくとも１つの排気口（４８ｄ、４８ｅ、４８ｆ、８８ｄ、８８ｅ、８８ｆ）によって特徴付けられる請求項１〜８のいずれか一項に記載の装置。
【請求項１０】
前記排気口（４８ｄ、８８ｄ）は、前記コンバータ（２８、６８）に最も近い前記案内通路（４６、８６）の端部上に配置されることを特徴とする請求項９に記載の装置。
【請求項１１】
前記排気口（４８ｄ、８８ｄ）は、前記光サブアセンブリ（４０、８０）に形成された少なくとも１つの開口の形状で、具体的には、前記光サブアセンブリ（４０、８０）に形成された少なくとも１つのドリル穴の形状で実現され、
前記開口の軸方向は、前記導波管（１０）の前記軸又はコア（１２）の方向に対して横断方向に、具体的には略垂直に延在することを特徴とする請求項９又は１０に記載の装置。
【請求項１２】
前記排気口（４８ｅ、４８ｆ、８８ｅ、８８ｆ）は、
溝又は通路の形状に設計され、且つ／又は
前記案内通路（４６、８６）に沿って、具体的には前記案内通路（４６、８６）の全長に渡って延在することを特徴とする請求項９〜１１のいずれか一項に記載の装置。
【請求項１３】
前記電気‐光コンバータ（２８）は、少なくとも１つのレーザ、具体的には少なくとも１つの面発光レーザ（垂直キャビティ表面放出レーザ）（ＶＣＳＥＬ）であり、且つ／又は
前記光‐電気コンバータ（６８）は、少なくとも１つのダイオード、具体的には少なくとも１つのフォトダイオード（ＰＤ）であることを特徴とする請求項１〜１２のいずれか一項に記載の装置。
【請求項１４】
請求項１〜１３のいずれか一項に記載の少なくとも１つの装置（１００ａ、１００ｂ、１００ｃ、１００ｄ、１００ｅ、１００ｆ、１４０ａ、１４０ｂ、１４０ｃ、１４０ｄ、１４０ｅ、１４０ｆ）を製造する三次元マイクロ光造形印刷方法。
【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
シングルサインオンサービスに対するリクエストを前記シングルサインオンサービスに対応付けられたウェブインターフェースを介して受信することと、
ポリシーまたは認証情報を管理する前記リクエストに基づきデータマネージャへデータリクエストを送信することと、
対応付けられたウェブインターフェースを介してレスポンスを返すこととを含み、前記リクエストは、前記リクエストに応じたポリシーまたは認証情報の情報を含み、アプリケーションに自動的にログインするためクライアントデバイスによって使用される、方法。
【請求項２】
前記リクエストはプロキシによって第１のプロトコルで受信され、前記プロキシは前記リクエストを前記第１のプロトコルから第２のプロトコルに変換し、前記変換したリクエストを前記シングルサインオンサービスへ転送する、請求項１に記載の方法。
【請求項３】
前記レスポンスは前記プロキシによって前記第２のプロトコルで受信され、前記プロキシは前記レスポンスを前記第２のプロトコルから前記第１のプロトコルに変換し、前記変換したレスポンスを返す、請求項２に記載の方法。
【請求項４】
シングルサインオンサービスに対する前記リクエストはポリシー管理リクエストであり、
１つ以上のポリシー管理操作を含む前記ポリシー管理リクエストをポリシーマネージャへ送信することと、
前記１つ以上のポリシー管理操作に基づいて前記データリクエストを生成することとをさらに含む、請求項１〜３のいずれか１項に記載の方法。
【請求項５】
前記ポリシー管理リクエストは第１のインターフェース向けにフォーマットされ、前記ポリシーマネージャは前記ポリシー管理リクエストに対応付けられたポリシー管理プラグインを特定し、前記特定したポリシー管理プラグインに基づき前記ポリシー管理リクエストを第２のインターフェース向けのフォーマットに変換する、請求項４に記載の方法。
【請求項６】
シングルサインオンサービスに対する前記リクエストは認証情報管理リクエストであり、
１つ以上の認証情報管理操作を含む前記認証情報管理リクエストを認証情報マネージャへ送信することと、
前記１つ以上の認証情報管理操作に基づいて前記データリクエストを生成することとをさらに含む、請求項１〜５のいずれか１項に記載の方法。
【請求項７】
前記認証情報管理リクエストは第１のインターフェース向けにフォーマットされ、前記認証情報マネージャは前記認証情報管理リクエストに対応付けられたサブマネージャを特定し、前記特定したサブマネージャに基づき前記認証情報管理リクエストを第２のインターフェース向けのフォーマットに変換する、請求項６に記載の方法。
【請求項８】
コンピュータ読取可能媒体とプロセッサとを含むコンピュータと、
前記コンピュータで実行する複数のシングルサインオンサービスとを備え、シングルサインオンサービスの各々にはウェブインターフェースが対応付けられ、
前記複数のシングルサインオンサービスの各々は、
クライアントから前記対応付けられたウェブインターフェースを介してポリシーまたは認証情報を管理するリクエストを受信し、
前記ポリシーまたは認証情報を管理する前記リクエストに基づいてデータマネージャへデータリクエストを送信し、
前記対応付けられたウェブインターフェースを介して前記クライアントへレスポンスを返すように構成され、前記リクエストは、前記リクエストに応じたポリシーまたは認証情報の情報を含み、アプリケーションに自動的にログインするためクライアントデバイスによって使用される、システム。
【請求項９】
前記リクエストを第１のプロトコルで受信し、前記リクエストを前記第１のプロトコルから第２のプロトコルに変換し、前記変換したリクエストを前記シングルサインオンサービスへ転送する、第１のトンネルプロキシをさらに備える、請求項８に記載のシステム。
【請求項１０】
前記レスポンスを前記第２のプロトコルで受信し、前記レスポンスを前記第２のプロトコルから前記第１のプロトコルに変換し、前記変換したレスポンスを返す、第２のトンネルプロキシをさらに備える、請求項９に記載のシステム。
【請求項１１】
シングルサインオンサービスに対する前記リクエストはポリシー管理リクエストであり、前記複数のシングルサインオンサービスの各々はさらに、
１つ以上のポリシー管理操作を含む前記ポリシー管理リクエストをポリシーマネージャへ送信し、
前記１つ以上のポリシー管理操作に基づいて前記データリクエストを生成する、ように構成される、請求項８〜１０のいずれか１項に記載のシステム。
【請求項１２】
前記ポリシー管理リクエストは第１のインターフェース向けにフォーマットされ、前記ポリシーマネージャは前記ポリシー管理リクエストに対応付けられたポリシー管理プラグインを特定し、前記特定したポリシー管理プラグインに基づき前記ポリシー管理リクエストを第２のインターフェース向けのフォーマットに変換する、請求項１１に記載のシステム。
【請求項１３】
シングルサインオンサービスに対する前記リクエストは認証情報管理リクエストであり、前記複数のシングルサインオンサービスの各々はさらに、
１つ以上の認証情報管理操作を含む前記認証情報管理リクエストを認証情報マネージャへ送信し、
前記１つ以上の認証情報管理操作に基づいて前記データリクエストを生成するよう構成される、請求項８〜１２のいずれか１項に記載のシステム。
【請求項１４】
前記認証情報管理リクエストは第１のインターフェース向けにフォーマットされ、前記認証情報マネージャは前記認証情報管理リクエストに対応付けられたサブマネージャを特定し、前記特定したサブマネージャに基づき前記認証情報管理リクエストを第２のインターフェース向けのフォーマットに変換する、請求項１３に記載のシステム。
【請求項１５】
命令を有するコンピュータ可読記憶プログラムであって、前記命令がプロセッサによって実行されると前記プロセッサは、
シングルサインオンサービスに対するリクエストを前記シングルサインオンサービスに対応付けられたウェブインターフェースを介して受信するステップと、
ポリシーまたは認証情報を管理する前記リクエストに基づきデータマネージャへデータリクエストを送信するステップと、
対応付けられたウェブインターフェースを介してレスポンスを返すステップとを遂行し、前記リクエストは、前記リクエストに応じたポリシーまたは認証情報の情報を含み、アプリケーションに自動的にログインするためクライアントデバイスによって使用される、コンピュータ可読記憶プログラム。
【請求項１６】
命令を有するコンピュータ可読記憶プログラムであって、前記命令がプロセッサによって実行されると、前記プロセッサに請求項１〜７のいずれか１項に記載の方法を実行させるコンピュータ可読記憶プログラム。
【手続補正書】
【提出日】平成29年8月15日(2017.8.15)
【手続補正１】
【補正対象書類名】特許請求の範囲
【補正対象項目名】請求項１２
【補正方法】変更
【補正の内容】
【請求項１２】
複数の画面を描画し、該複数の画面に含まれる描画オブジェクトの少なくとも一部が該複数の画面間で共通である描画方法であって、
前記共通の描画オブジェクトを、描画属性が固定の第１の描画オブジェクトと描画属性が変更可能な第２の描画オブジェクトとに識別し、
前記第１の描画オブジェクトについての描画処理を前記複数の画面についてまとめて行い、
前記第２の描画オブジェクトについての描画処理を前記複数の画面の各々について行う描画方法。
【手続補正２】
【補正対象書類名】明細書
【補正対象項目名】０００１
【補正方法】変更
【補正の内容】
【０００１】
本発明は、概して画像処理に関し、特に複数ユーザに鑑賞可能な画像をカスタマイズする方法及び装置に関する。
【手続補正３】
【補正対象書類名】明細書
【補正対象項目名】００８５
【補正方法】変更
【補正の内容】
【００８５】
描画される特定のオブジェクトは、一般オブジェクトまたはカスタマイズ可能オブジェクトとして分類され得る。オブジェクトが一般オブジェクトまたはカスタマイズ可能オブジェクトとして考慮されるか否かの決定は、様々な要素に基づきメインゲームプロセス３００Ａによってなされるものであってよい。これらの要素は、シーンにおけるオブジェクトの位置や深度を含むものであってもよいし、単純に任意のオブジェクトが一般またはカスタマイズ可能のいずれであるかをあらかじめ識別されているものであってもよい。図６Ａを参照されるように、一般またはカスタマイズ可能に係るオブジェクトの識別は、オブジェクトデータベース１１２０に格納されていてもよい。オブジェクトデータベース１１２０は、少なくとも一部においてコンピュータメモリを用いる態様であってもよい。実装される態様によって、オブジェクトデータベース１１２０はメインゲームプロセス３００Ａにより維持され、グラフィック制御プロセス３００Ｂ及び／または描画機能モジュール２８０によりアクセス可能であってもよい。
【手続補正４】
【補正対象書類名】明細書
【補正対象項目名】０１１９
【補正方法】変更
【補正の内容】
【０１１９】
これを示すために、各参加者Ａ及びＢについて１つである、２つのフレームバッファそれぞれを示す図１２を非限定的に参照する。フレームバッファの各々は、４成分の画素値を有する画素を含む。図１２は、以下のステージにおける、１２００Ａ、１２００Ｂにおいて画素ｐ及びｑの内容の変化を示しており：
１２１０：  一般オブジェクト５２０の描画に加えてステップ８４０の後。なお、オブジェクト５２０についての画素は、オブジェクト５２０に係る最終画素値（強度／色）を含む。これらは一度演算され、両フレームバッファに複製される。
１２２０：  カスタマイズ可能オブジェクト５３０についての第１の処理パスに加えてステップ１０２０の後。なお、オブジェクト５３０についての画素は、オブジェクト５３０に係るプリシェーディング値を含む。これらは一度演算され、両フレームバッファに複製される。
１２３０：  カスタマイズ可能オブジェクト５３０についての第２の処理パスに加えてステップ８４０の後。なお、オブジェクト５３０についての画素は、参加者の各々について異なる、オブジェクト５３０に係る最終画素値（強度／色）を含む。